(57)【要約】  【課題】２枚の紙片等のシート状部材を隙間なく且つ手軽に連結することができ、しかも連結されたシート状部材同士を折り重ねたり綴じ合わせたりするなどの多様な使用方法を実現することができるシート連結具、及びシート連結具セットを提供する。  【解決手段】シート連結具１を、一方の面を粘着面２Ｓとしたシート体２を主体とし、このシート体２を直線状の区画線２Ｌによって２つの領域２Ａ，２Ｂに区画し、この２つの領域２Ａ，２Ｂをそれぞれ２つのシート状部材Ｐ１，Ｐ２の一方ずつに対して粘着面２Ｓを介して貼付することで、２つのシート状部材Ｐ１，Ｐ２を連結し得るように構成し、また複数のシート連結具１を積層してなるシート連結具セット１０を構成した。  【選択図】図５
2008239823.tif 000002
【特許請求の範囲】
【請求項１】
２つのシート状部材を連結し得るものであって、
一方の面を粘着面としたシート体を主体として構成され、当該シート体を直線状の区画線によって２つの領域に区画し、この２つの領域をそれぞれ前記２つのシート状部材の一方ずつに対して前記粘着面を介して貼付し得るように構成していることを特徴とするシート連結具。
【請求項２】
前記シート体の粘着面は、前記シート状部材に対して繰り返し着脱可能なものである請求項１に記載のシート連結具。
【請求項３】
前記シート体を、前記区画線に沿って折り曲げ可能としている請求項１乃至３の何れかに記載のシート連結具。
【請求項４】
前記シート体に、前記粘着面を形成する１枚の両面粘着シート又は両面接着シートを一体に貼着している請求項１又は２の何れかに記載のシート連結具。
【請求項５】
前記シート体を、前記両面粘着シート又は両面接着シートの一体性を維持した状態で前記区画線に沿って前記２つの領域を分離可能としている請求項４に記載のシート連結具。
【請求項６】
前記シート体を前記シート状部材に貼付しない不使用時において、前記粘着面に貼付される剥離シートを備えている請求項１乃至５の何れかに記載のシート連結具。
【請求項７】
請求項１乃至５の何れかに記載のシート連結具を同一方向に向けて複数積層して備えてなり、
各シート連結具を、前記粘着面を介して順次貼り合わせて構成していることを特徴とするシート連結具セット。
【請求項８】
前記複数のシート連結具のうち、前記粘着面が露出する最下層のシート連結具における粘着面には、当該シート連結具を前記シート状部材に貼付しない不使用時において当該粘着面に貼付される剥離シートを貼着している請求項７に記載のシート連結具セット。
【発明の詳細な説明】
【技術分野】
【０００１】
本発明は、紙片等のシート状の部材同士を簡便に且つ見栄えよく連結することができるシート連結具に関するものである。
【背景技術】
【０００２】
２つの紙片等のシート状部材を連結する器具として、例えばジョイントクリップ（商品名，オープン工業株式会社製、例えば非特許文献１参照）や連結クリップ（商品名，サンケーキコム株式会社製、例えば非特許文献２参照）等が知られている。これらのクリップ型連結器具は、一般的なダブル・クリップ、目玉クリップ、洗濯ばさみ等の同種のクリップを２つ背反させた態様で連結させた構造を有している。詳述すると、これらの一般的なクリップは、二枚一組の板状部材を相互に部分回転運動するように軸支するとともに両部材の間にバネを配設し、２枚の板状部材の一端側をバネの弾性力に抗して接離させる操作部、他端側を操作部の接離動作に応じて開閉することで他の物品を挟む挟持部とした構造を有しているのが通例であるが、上述したクリップ型連結器具は、２つのクリップの一方の板状部材を一枚の板状部材で実現することで操作部同士を近接させているか、あるいは２つのクリップにおいて一方の板状部材同士を操作部側で固定している、という構成とされている。
【０００３】
このようなクリップ型連結器具の使用例としては、例えば書画や店舗の広告等が描かれた２枚の用紙を上下に並べ、それらの用紙を連結部材の２つの挟持部でそれぞれ挟むことで連結し、壁掛け掲示を行う場合などが想定される。同様の掲示方法は、例えば２枚の用紙を粘着テープや糊付けした紙の小片を用いたり、掲示用の専用台紙を用いたりすることで実現することもできるが、粘着テープ等では用紙に一旦貼り付けると剥がれにくく、剥がれても用紙が汚れたり損傷するおそれがあり、専用台紙を用いるとコスト高となる可能性が考えられる。したがって、上述のクリップ型連結器具はこのような問題が生じにくく手軽に扱うことができるものとして便利であると考えられる。
【非特許文献１】“ジョイントクリップ”、［ｏｎｌｉｎｅ］、迫屋・文照堂ホームページ、［平成１８年１２月３日検索］、インターネット＜ＵＲＬ：http://www2.ocn.ne.jp/~hasamaya/jointclip.htm＞
【非特許文献２】“とじる・とめる用具  連結クリップ”、［ｏｎｌｉｎｅ］、ヌーベルエポックホームページ、［平成１９年２月１２日検索］、インターネット＜ＵＲＬ：http://www.bidders.co.jp/item/77880212＞
【発明の開示】
【発明が解決しようとする課題】
【０００４】
ところで、上述したクリップ型連結器具を使用する場合、器具自体の構造に起因して、２つの挟持部で挟まれた用紙同士の間には必ず隙間が生じることになる。したがって、書画や広告等を掲示する際に、上下の用紙間に隙間を生じさせたくない場合には、このようなクリップ型連結器具を用いるのは不向きであるといえる。また、クリップ型連結器具において用紙を挟んでいる挟持部の周辺では、器具の嵩張りによって用紙が壁面から浮いてしまうことにもなる。さらに、クリップ型連結器具に２つの用紙を挟んだままの状態で掲示している壁面等から取り外して机や床に置いた場合、用紙の間にはクリップ型連結器具が存在するために、２枚の用紙をピタリと重ね合わせることは物理的に不可能である。
【０００５】
すなわち、このようなクリップ型連結器具は、上下に若干の隙間を空けて２枚の用紙を壁面等に掲示し、しかも用紙が壁面等から少し浮かせた状態となっても構わないような場合には便利に使用できるものであるが、そのような態様以外で用紙等のシート状の部材を連結して用いることは実質的にできない、というものである。
【０００６】
また、掲示用の専用台紙には、その上端部と下端部にそれぞれ面ファスナを表裏交互に設けておき、面ファスナが係合するように２枚の専用台紙を一部重ね合わせることで、各台紙に貼り付けた用紙を掲示するものが存在するが、このものでは、台紙同士が重なり合う部分が必ずできるため、若干の嵩張りが生じたり、用紙や台紙の縁部できちんと折り曲げて用紙同士を重ねるというような使用方法は不可能である。
【０００７】
そこで本発明は、２枚の紙片等のシート状部材を隙間なく且つ手軽に連結することができ、しかも連結されたシート状部材同士を折り重ねたり綴じ合わせたりするなどの多様な使用方法を実現することができるシート連結具、及びシート連結具セットを提供しようとするものである。
【課題を解決するための手段】
【０００８】
すなわち本発明に係るシート連結具は、２つのシート状部材を連結し得るものであって、一方の面を粘着面としたシート体を主体として構成され、当該シート体を直線状の区画線によって２つの領域に区画し、この２つの領域をそれぞれ前記２つのシート状部材の一方ずつに対して前記粘着面を介して貼付し得るように構成していることを特徴とするものである。
【０００９】
シート体自体は、紙やプラスチック、金属など、比較的薄肉でシート状のものであれば素材は任意に選択することができ、また大きさや形状も任意である。特に大きさに関しては、連結対象であるシート状部材よりも小さければ自由に設定することができる。粘着面は、例えばシート体の一方の面に粘着剤や接着剤を塗布したり、両面粘着シートや両面接着シートを貼り付けたり、シート体の粘着面となる側の面の素材を粘着性を有する合成樹脂等の素材とすること、などにより形成することができる。このような粘着面はシート体の一方の面全域に形成することが望ましいが、シート体に形成される２つの領域に粘着面が共に形成される限りはシート体の一方の面に部分的に粘着面を形成しても構わない。また、シート体を２つの領域に区画する区画線は、シート体をちょうど半分に二分する直線であることが好ましいが、２つの領域の大きさや面積が異なることを妨げるものではない。この区画線は、それによって区画されたシート体の２つの領域の存在を明確にするための目印として機能するものであってもよいし、２つの領域を相互に円運動させる折り曲げ線として機能するものでもよいし、シート連結具全体が切断されて分離してしまわない限りシート体を２つの領域に切断し得る切断線として機能するものでもよい。また、シート体が隙間を空けた２つの領域に予め分断されているように、区画線を形成することもできるが、その場合は、シート連結具の他の構成要素（例えば粘着面がシート体とは別体の部材から構成される場合における、その部材）によって、シート連結具の一体性を維持しておく必要がある。さらに、シート体の表面（非粘着面側、粘着面側の一方又は両方）は、有色、無色、無地、模様有りのいずれを採用することも可能である。
【００１０】
このような構成のシート連結具を用いる場合、粘着面を介して２つの領域にそれぞれ別個のシート状部材を貼付するに際して、両シート状部材の縁部（例えば一方のシート状部材における下縁と他方のシート状部材における上縁）を共にシート体の区画線に沿わせることで、これら２つのシート状部材同士をこのシート連結具によって隙間なく連結することが可能となる。なお、本発明のシート連結具では、敢えて２つのシート状部材間を両者の間に隙間を空けて連結することも可能である。また、シート連結具自体が薄肉のシート体を主体とするものであるため、２つのシート状部材に跨ってシート体を貼付しても、シート状部材同士の連結部位がシート体により嵩張ることもない。さらに、シート状部材に印刷面や表示面等の主に使用する面が定まっていれば、その裏面側にシート連結具を貼付することで、シート連結具が目立ちにくく、場合によってはシート連結具自体の存在が外部から視認できないようにすることができる。したがって、本発明のシート連結具は、２つのシート状部材に対する簡便な連結方法を実現しつつ、２つのシート状部材の見栄えのよい掲示方法が可能であるばかりでなく、掲示以外の様々な場面でも２枚のシート状部材を貼付するという極めて多様な用途に用いることができるものである。
【００１１】
本発明において、シート体の粘着面を、シート状部材に対して繰り返し着脱可能なものとする場合、例えば弱粘着性の粘着剤又は弱接着性の接着剤を利用して粘着面を形成する場合には、シート連結具をシート状部材に対して貼り直したり、別のシート状部材に貼り替えたりするなど、シート連結具の繰り返しての再利用が可能となる。一方、粘着面を強粘着性とすることもできるが、その場合は、一旦シート状部材に貼り付けたシート連結具は剥がさないような使用態様の場合に用いることができる。
【００１２】
また、シート体を、区画線に沿って折り曲げ可能とすると、このシート連結具によって２枚のシート状部材を貼付した状態で区画線で折り曲げることで、この２つのシート状部材を重ね合わせることができる。特に２つのシート状部材が同形同大であれば、両シート状部材を完全にピタリと重ね合わせることができる。ここで、区画線に沿って折り曲げ可能なシート体は、シート体自体を可撓性のある比較的柔軟な素材で形成したり、区画線をシート体の他の部位よりも薄肉としたり、シート体に区画線に沿って折り曲げ癖をつけておくことで実現することができる。
【００１３】
また上述したように、シート体の一方の面に１枚の両面粘着シートを一体に貼着することで、簡易に粘着面を形成することができる。特にこの場合、シート体には目印又は折り曲げ線としての区画線を形成する他に、シート体を両面粘着シートの一体性を維持した状態で区画線に沿って２つの領域を分離可能とすることも可能である。すなわち、シート体が２つの領域に分離・切断されたとしても、両面粘着シートによってシート連結具自体が２つの領域に分断されてしまうことがなく、２枚のシート状部材を貼付した状態を維持することができる。
【００１４】
シート連結具をシート状部材の連結に使用しない場合、粘着面が露出しているとその粘着力が低下したり、粘着面が汚損したりするという不具合が考えられるが、シート連結具に、シート体をシート状部材に貼付しない不使用時において、粘着面に貼付される剥離シートを設けておけば、このような不具合を好適に回避することができる。
【００１５】
また、本発明に係るシート連結具セットは、上述したシート連結具を同一方向に向けて複数積層して備えてなり、各シート連結具を、粘着面を介して順次貼り合わせて構成していることを特徴とするものである。
【００１６】
このようなシート連結具セットであれば、シート連結具を１枚ずつシート連結具セットから剥がして使用することができる他にも、例えば多数のシート連結具を貼り合わせてセットにしたままの状態で各シート連結具を一方の領域だけ区画線に沿って捲り、隣接するシート連結具の間にシート状部材を挟み込めば、多数マイのシート状部材をこのシート連結具セットを用いて束ねて綴じることができるなど、１つのシート連結具だけでは実現できない使用態様が可能となる。なお、このようにしてシート連結具セットにシート状部材を綴じる場合、１つのシート連結具の一方の領域に粘着面を介して貼付されるのはシート状部材であるが、他方の領域に貼付されるシート状部材とは、そのシート連結具と隣接しているシート体であることになる。
【００１７】
このようなシート連結具セットでは、複数のシート連結具のうち、粘着面が露出する最下層のシート連結具における粘着面が露出するとその粘着面の粘着力低下や汚損が生じる可能性があるため、それを防ぐには、当該最下層のシート連結具をシート状部材に貼付しない不使用時において当該粘着面に貼付される剥離シートを貼着しておくことが有効である。
【発明の効果】
【００１８】
本発明のシート連結具によれば、簡便に２枚のシート状部材を隙間なく連結できるため、見栄えのよいシート状部材の掲示方法が実現可能であり、その他にも、連結したシート状部材を重ね合わせるなどの種々の使用態様に対応させることができる。また、本発明のシート連結具を用いれば、シート連結具を１つずつ剥がして単独で使用したり、シート連結具を重ねてセットにしたままでも、多数のシート状部材を綴じるなどの使用方法も可能である。このように、本発明のシート連結具、及びシート連結具セットは、比較的簡素な構成でありながら、２つのシート状部材を連結するという用途において、多様な場面で簡便に使用できる極めて有用なものである。
【発明を実施するための最良の形態】
【００１９】
以下、本発明の実施形態を、図面を参照して説明する。
【００２０】
図１に示す本発明の一実施形態に係るシート連結具１は、長方形状をなすシート体２を主体として構成されるものである。同図（ａ）はこのシート連結具１の正面図、（ｂ）は背面図である。シート体２は、本実施形態では例えば短辺、長辺が数ｃｍ程度の紙片から形成されたものである。そして、シート体２の面積をちょうど等分するように中央部には直線状の区画線２Ｌを形成しており、この区画線２Ｌによってシート体を２つの領域２Ａ，２Ｂに区画している。また、シート体２の裏面はその全面を粘着面２Ｓ（同図（ｂ）に灰色で着色して示す）としている。この粘着面２Ｓは、同図（ｂ）、及び同図（ｃ）に同（ａ）におけるｃ−ｃ線断面図を、シート体２の肉厚を誇張して示すように、シート体２の裏面に、例えば弱粘着性（弱接着性）又は強粘着性（強接着性）の粘着剤（接着剤）を塗布することによって形成することができる。その他の粘着面２Ｓの態様としては、同図（ｄ）に示すように、シート体２の裏面に両面粘着テープ３を貼付したものを採用することも可能である。以上のようなシート連結具１は、比較的薄肉の素材、特に可撓性のある紙片から構成されるシート体２を主体としており、そのシート体２の裏面に粘着剤又は接着剤を塗布したり両面粘着テープ３を貼付したりすることで粘着面２Ｓを構成したものであるため、同図（ｅ）に示すように、シート体２に形成した区画線２Ｌに沿って２つの領域２Ａ，２Ｂを対面させるようにしてシート連結具１を折り曲げることができる。また、区画線２Ｌに沿って折り曲げやすいように、区画線２Ｌに折り曲げ癖を付けたりプレスによる型押しを施しておいてもよいし、シート連結具１を折り曲げなくても、区画線２Ｌを２つの領域２Ａ，２Ｂを区分する目印としてもよい。
【００２１】
また、図２（ａ）に斜視図、（ｂ）に断面図を示した他の実施形態に係るシート連結具１のように、このシート連結具１を使用しない場合に粘着面２Ｓの汚損や粘着力低下を防ぐため、剥離シート４を粘着面２Ｓに貼り付けて設けた構成とすることもできる。剥離シート４は、例えば粘着面２Ｓと接触する面に滑らかな樹脂コーティングを施した紙片を適用することができる。特に、シート体２の粘着面２Ｓに図１（ｄ）で示したような両面粘着テープ３を適用する場合には、剥離シート４を備えたシート連結具１の断面図は、図２（ｃ）のようにシート体２と剥離シート４との間に両面粘着テープ３が挟まれた状態となる。また、シート体２を剥離シート４から剥がしやすいようにする場合には、シート体２の裏面の一部、例えば同図（ｄ）に示すように隅部（同図において灰色で着色していない部分）には、粘着面２Ｓを形成しないようにすることで、この隅部からシート体２を剥離シート４より簡単に剥がすことができるようになる。なお、この隅部を粘着面２Ｓとする場合でも、その粘着力を他の部位よりも低減することで、隅部からのシート体２の剥離を容易にすることができる。
【００２２】
さらに、図３（ａ）に斜視図を示す他の実施形態に係るシート連結具１のように、区画線２Ｌをミシン目で形成することもできる。この場合、シート体２は区画線２Ｌにより２つの領域２Ａ，２Ｂが異なる方向を向くように折り曲げやすくなるが、区画線２Ｌでシート体２が切断されて、２つの領域２Ａ，２Ｂが分断されるようになってもよい。このとき、シート連結具１の一体性が保たれるようにするには、例えば図１（ｄ）に示した例のように、シート体１の裏面側の粘着面２Ｓをミシン目では簡単に切断されない両面粘着テープ３で構成するとよい。
【００２３】
また、以上の他にも、図３（ｂ）に他の実施形態に係る斜視図を示すシート連結具１のように、区画線２Ｌをシート体２の他の部位よりも薄肉とする溝によって形成しても、シート連結具１の折り曲げを容易なものとすることができる。このような溝状の区画線２Ｌは、シート体２が紙製である場合には例えば型押しにより形成することができ、シート体２を樹脂シートから形成した場合には、プレス加工や金型の形状によっても形成することができる。特にシート体２を樹脂シート製とする場合、同図（ａ）の場合と同様に、両面粘着テープ３によりシート連結具１の一体性を保ちつつ、溝状の区画線２Ｌでシート体２が２つの領域２Ａ，２Ｂに分断されるようにしてもよい。
【００２４】
あるいは図３（ｃ）に示すシート連結具１のように、予めシート体２が区画線２Ｌで２つの領域２Ａ，２Ｂに分断されたものとすることもできる。この場合も、シート連結具１の一体性が保たれるように、粘着面２Ｓはシート体２の裏面に貼り付けた両面粘着テープ３によって構成することが望ましい。
【００２５】
さらに、本発明の一実施形態に係るシート連結具セット１０は、例えば図４に斜視図を示すように、上述したようなシート連結具１を多数枚、積層して形成されるものである。各シート連結具１は、その下段側のシート連結具１から１枚ずつ完全に又は部分的に剥がして使用することができる。すなわち同図の例において、隣接する２枚のシート連結具１のうち、上段側のシート連結具１の粘着面が下段側のシート連結具１の表面側に貼り付けられている。このように、シート連結具１を剥がしたうえでシート状部材に貼り付けて使用するためには、粘着面２Ｓとして繰り返して粘着と剥離が可能な弱粘着性の粘着剤又は弱接着性の接着剤をシート体２に塗布するか、あるいは弱粘着性の粘着剤又は弱接着性の接着剤を備えた両面粘着テープ３をシート体２の裏面に貼り付けることが有効である。さらに、最下層のシート連結具１の粘着面２Ｓには、剥離シート４を貼付しておくことで、当該粘着面２Ｓの汚損や粘着力の低下を防止することができる。
【００２６】
なお、本発明は上述した実施形態に限定されるものではなく、シート体２の素材、大きさ、厚さ、形状等を種々変更することができる。例えばシート体２の素材は、上述したような紙や樹脂の他、薄い金属板を採用することが可能である。また、シート体２の形状は上述した長方形状だけではなく、正方形その他の四角形や四辺形、三角形その他の多角形、円形や楕円形等の丸形、扇形やハート形や星形等のデザインされた図形など、種々の形態を採用することができ、区画線２Ｌも２つの領域２Ａ，２Ｂが均等な大きさや形状とならないようにシート体２を区画するように形成してもよい。その他、各部の具体的構成についても上記実施形態に限られるものではなく、本発明の趣旨を逸脱しない範囲で種々変形が可能である。
【実施例】
【００２７】
以下、上述のようなシート連結具１、シート連結具セット１０の使用方法について説明する。
【００２８】
まず、シート連結具１の基本的な使用方法は、２枚のシート状部材を連結する、というものである。図５（ａ）に示す例は、絵画が描かれたシート状部材である用紙Ｐ１，Ｐ２を、シート連結具１によって連結して掲示に供する態様を示すものである。すなわち、上側の用紙Ｐ１の下辺及び下側の用紙Ｐ２の上辺にシート連結具１の区画線２Ｌを一致させ、各用紙Ｐ１，Ｐ２の裏面にそれぞれ領域２Ａ，２Ｂを粘着面２Ｓを介して貼り付ける。シート連結具１によって連結された２枚の用紙Ｐ１，Ｐ２を分離する予定があれば、シート連結具１の粘着面２Ｓは弱粘着性にしておくとよく、用紙Ｐ１，Ｐ２から剥がしたシート連結具１は再使用することができる。さらに、同図（ｂ）に示すように、左側の用紙Ｐ１の右端に中央の用紙Ｐ２の左端を連結し、さらに中央の用紙Ｐ２の右端に左側の用紙Ｐ３の左端を連結する場合には、各用紙Ｐ１，Ｐ２，Ｐ３の境目に区画線２Ｌを一致させて裏側からシート連結具１を貼り付ければよい。このとき、図示例のように１つの絵の一部分ずつが描かれた複数の用紙Ｐ１，Ｐ２，Ｐ３を順次シート連結具１を用いて隙間なくつなぎ合わせる、というような場合であれば、シート連結具１を用いることで隣接するシート状部材（用紙）間に隙間を生じさせることなく両者を連結できるというメリットによって絵全体を完成させる、という使用方法が可能である。なお、これらの例では、長方形状のシート連結具１を１つ用いて隣接する用紙Ｐ１，Ｐ２又はＰ２，Ｐ３を連結した場合を示したが、用紙の大きさやシート連結具１の大きさや形状、或いはシート連結具１における粘着面２Ｓの粘着力と耐荷重性によっては、複数のシート連結具１で隣接する用紙同士を連結するとよい。このようなシート連結具１の使用態様は、絵画等の作品の掲示だけでなく、オフィス等での書類の掲示、店舗でのＰＯＰ広告やプライスカードの掲示などにも適用することができる。
【００２９】
図６（ａ）は、特に区画線２Ｌに沿って折り曲げ可能なシート連結具１の使用例を示すものである。この図示例の場合、４枚のシート状部材Ｐ１，Ｐ２，Ｐ３，Ｐ４をこの順で並べ、隣接するシート状部材Ｐ１とＰ２、Ｐ２とＰ３、Ｐ３とＰ４をそれぞれシート連結具１で隙間なく連結することにより、ジャバラ状に展開・折り畳みが可能な小冊子を構成することができる。特に各シート状部材Ｐ１，Ｐ２，Ｐ３，Ｐ４の大きさが等しければ、これらを折り畳んだ場合に全てを１枚の面積内に重ね合わせることが可能である。
【００３０】
このような使用態様は、複数のシート状部材をジャバラ状につなぎ合わせることで利便性が向上するもの、例えばカレンダー、予定表、楽譜等に適している。ここでカレンダーを一例として説明すると、例えば図６（ｂ−１）に示すように、１月から４月までの予定を書き込むことができる一連のカレンダーにおいて、同図（ｂ−２）に示すように各月の用紙（すなわちシート状部材）をミシン目に沿って切り離して個別に使用できるようなものがある場合、通常は一旦切り離された各用紙は粘着テープ等を用いないと再びつなぎ合わせることはできないが、同図（ｂ−３）に示すように、各月の用紙はシート連結具１を用いれば容易につなぎ合わせることが可能となり、しかもつなぎ合わせた４枚の用紙はジャバラ状に展開・折り畳みが可能である。この使用方法を応用して、同図（ｃ）に示すように、例えば１２ヶ月分の用紙を、縦横に隣接する用紙同士を隙間なくシート連結具１で連結すれば、縦４ヶ月分横３ヶ月分の１年分のカレンダーを作成することができる。特に、シート連結具１の粘着面２Ｓが弱粘着性であれば、図示しないが、一旦同図（ｂ−３）のように４ヶ月分全ての予定表示欄が表となるように４枚の用紙をつなぎ合わせた後で、例えば偶数月の用紙のみを裏返して再度シート連結具１で連結すれば、奇数月の用紙の予定表示欄と偶数月の用紙の裏面に表示された図柄とを同じ側に配置して、ジャバラ式カレンダーの雰囲気を変えることができる。反対側の面についても同様となる。また、図示しないが、上述したようなある月のカレンダー用紙と、図５で示したような絵画が描かれた用紙のように、別種のシート状部材同士をシート連結具１によって連結するという使用態様も可能である。
【００３１】
図７（ａ）に示すシート連結具１の使用例は、雑誌Ｍの綴じ込みページ（シート状部材）Ｐ１を、シート連結具１で当該雑誌Ｍの本体に着脱可能に取り付けた態様である。すなわち、シート連結具１の粘着面２Ｓには弱粘着性の粘着剤等を適用しておき、さらに区画線２Ｌに沿ってシート連結具１を折り曲げ可能としておき、当該綴じ込みページＰ１の一端側の辺に区画線２Ｌを一致させて一方の領域２Ａを貼り付け、他方の領域２Ｂを雑誌Ｍの本体側のページに貼り付けることで、着脱可能な綴じ込みページＰ１を雑誌Ｍに設けることができる。この場合、同図（ｂ）に示すように、雑誌Ｍからシート連結具１を付けたままの状態で取り外した綴じ込みページＰ１では、シート連結具１のうち雑誌Ｍに貼り付けられていた領域２Ｂにおける粘着面２Ｓは露出しているので、例えば保存用の台紙Ｐ５を用意しておき、この台紙Ｐ５に領域２Ｂの粘着面２Ｓを貼り付ければ、シート連結具１を介して綴じ込みページＰ１を台紙Ｐ５に貼り付けて保存することができる。すなわち、台紙５がシート状部材として、綴じ込みページＰ１と共にシート連結具１により連結されることとなる。また、同図（ｃ）に示すように、台紙Ｐ５に貼り付けた綴じ込みページＰ１の反対側の縁部に更に別の綴じ込みページＰ２をシート連結具１により貼り付けて連結し、更にその綴じ込みページＰ２にも別の綴じ込みページＰ３をシート連結具１で貼り付けて連結していけば、台紙５には複数の綴じ込みページＰ１，Ｐ２，Ｐ３・・・をジャバラ式に綴じて保存することができる。この他にも、同図（ｄ）に示すように、雑誌Ｍから取り外した複数の綴じ込みページＰ１，Ｐ２，Ｐ３を積層し、各綴じ込みページ（例えばＰ１）に貼り付けてあるシート連結具１の一方の領域２Ｂにおける粘着面２Ｓを、次の綴じ込みページ（例えばＰ２）に貼り付けてあるシート連結具１の領域２Ｂの表面側に貼り付けることで、各ページが積層された冊子を形成することが可能である。この場合、各シート連結具１が連結する２つのシート状部材は、元々貼り付けられていた綴じ込みページ（例えばＰ１）と下層側の綴じ込みページＰ２に貼り付けられていたシート連結具１ということになる。なお、最下層の綴じ込みページに貼り付けられているシート連結具１の領域２Ｂにおける粘着面２Ｓは露出することになるため、その粘着面２Ｓには台紙や剥離紙を貼付して、粘着面２Ｓの汚損や粘着力低下を防止することが望ましい。
【００３２】
図８は、シート連結具セット１０の使用例を示す図である。前述のように、シート連結具セット１０からはシート連結具１を１枚ずつ剥がして上述したような種々の使用方法で用いることができるが、同図の例では、シート連結具セット１０をそのままの状態で使用する態様を示している。同図（ａ）はシート連結具セット１０の使用例を表す斜視図、（ｂ）は同側面図である。同図に示すとおり、この使用例では、シート連結具セット１０のシート連結具１を１枚ずつ、区画線２Ｌまで一方の領域２Ａだけを剥がし、下層側のシート連結具１の領域２Ａにおける表面に用紙（シート状部材）Ｐ１を載せて、その用紙Ｐ１の表面に剥がしたシート連結具１の領域２Ａにおける粘着面２Ｓを貼り合わせる。各シート連結具１の他方の領域２Ｂは、下層側のシート連結具１の領域２Ｂの表面に貼り付けられたままの状態である。すなわち、各シート連結具１は、２つのシート状部材として、用紙Ｐ１と下層側のシート連結具１を連結させることとなる。このようにシート連結具セット１０を綴じ込み部材として使用することで、多数枚の用紙Ｐ１・・・からなる冊子を構成することができる。
【００３３】
図９は、シート連結具１の上記以外の使用例を示す図である。同図（ａ）は、シート連結具１を粘着テープの代用品として使用した例であり、シート状部材Ｐ１の一辺に区画線２Ｌを合わせて一方の領域２Ａを貼り付け、他方の領域２Ｂを壁や掲示ボードや冷蔵庫のドア等の固定物Ｒに貼り付けている。同図（ｂ）も、シート連結具１を粘着テープの代用品として使用した例であり、（ｂ−１）は紙袋Ｂの底部における底面Ｂａと前面Ｂｂとの境界部分が破れた場合に補修テープとしてシート連結具１を使用している。すなわち、シート連結具１の区画線２Ｌを紙袋Ｂの底部における当該境界部分に合わせて折り曲げ、一方の領域２Ａを底面Ｂａに、他方の領域２Ｂを前面Ｂｂに貼り付けることで、このシート連結具１を紙袋Ｂの破損部分に対する補修機能を果たさせている。また、同図（ｂ−２）は、同様の紙袋Ｂの開口部を閉じるシールとして使用した例である。すなわち、紙袋Ｂの上端部において前面Ｂｂと後面Ｂｃとを合わせ、それらの上端にシート連結具１の区画線２Ｌを合わせて各領域２Ａ，２Ｂをそれぞれ紙袋Ｂの前面Ｂｂと後面Ｂｃとに貼り付けることで、シート連結具１にシール機能を発揮させることができる。つまり、シート連結具１が連結する２つのシート状部材は、紙袋Ｂの前面Ｂｂと後面Ｂｃということになる。この場合、シート連結具１の表面には、例えば店名やブランドロゴ等を印刷しておくことで、シート連結具１に宣伝機能を担わせることもできる。
【００３４】
同図（ｃ−１）は、シート連結具１を付箋紙の代用品として使用した例であり、例えばノートＮのページ（シート状部材）Ｐ１の反綴じ側の開放辺Ｐ１ａにシート連結具１の区画線２Ｌを合わせて折り曲げ、当該ページＰ１の表面と裏面にそれぞれシート連結具１の各領域２Ａ，２Ｂを貼り合わせている。この使用方法の変形例として、同図（ｃ−２）に示すように、区画線２ＬをページＰ１の開放辺Ｐ１ａよりも外側に位置付けてシート連結具１を折り曲げ、当該ページＰ１の両面に貼り合わせた場合には、見出し機能を持った付箋紙としてシート連結具１を使用することができる。
【００３５】
図１０（ａ）は、シート連結具１を両面粘着テープの代用品として使用する例である。同図（ａ−１）に示すように、区画線２Ｌに沿って折り曲げ可能なシート連結具１には、領域２Ａ及び領域２Ｂの異なる辺からそれぞれ、区画線２Ｌと平行に切り込み線２Ｋａ，２Ｋｂを形成する。区画線２Ｌから各切り込み線２Ｋａ，２Ｋｂまでは等距離とする。そして、同図（ａ−２）に示すように、シート連結具１を粘着面２Ｓが表側となるように区画線２Ｌで折り畳み、切り込み線２Ｋａ，２Ｋｂ同士を係合させることで、シート連結具１に両面粘着テープとしての機能を付与することができる。この場合、区画線２Ｌから各切り込み線２Ｋａ，２Ｋｂまでの距離を大きくし、露出する粘着面２Ｓの面積を十分に確保すれば、粘着力を大きなものとすることができる。そして、露出した各領域２Ａ，２Ｂの粘着面２Ｓをそれぞれ別個のシート状部材に貼り付けることで、これら２つのシート状部材をこのシート連結具１によって連結することができる。
【００３６】
同図（ｂ）は、１枚のシート連結具１（同図左）が区画線２Ｌで完全に切断した場合（同図中）のシート連結具１の使用方法である。ここでシート連結具１は、紙などの柔軟な素材からなるものとする。同図右に示すように、例えば切断された一方の領域２Ａをさらに使用する場合、この領域を新たなシート連結具１’として機能させるには、領域２Ａを２つの領域２Ａ’，２Ｂ’として区分する新たな区画線２Ｌ’を形成すれば、元のシート連結具１の半分の大きさではあるが、新しいシート連結具１’を容易に形成することができる。
【００３７】
なお、本発明のシート連結具１、及びシート連結具セット１０の使用方法は上述した各種使用例に限られるものではない。例えば、図５（ａ）に示したシート連結具１の使用方法において、書画等の掲示以外にも、用紙Ｐ１とＰ２とをシート連結具１で繋いだままの状態で内側に向けて（すなわちシート連結具１が外面に露出するように）重ね合わせる場合や、図７（ｄ）に示したシート連結具１の使用方法の場合などでは、シート連結具１の長手寸法を用紙やページ等のシート状部材の長辺寸法とほぼ合致させれば、重ねた複数のシート状部材の背表紙又は製本テープとしてシート連結具１を機能させることができる。また、ノートのページやハガキ等の紙片の縁部の補強や修飾（飾り付け）を目的としてもシート連結具１を用いることができる。特に紙片の縁部の修飾のためには、シート体２の表面に色彩や模様を施したシート連結具１を用いるとよい。さらにまた、シート連結具１を、封筒の封緘にも用いることができる。すなわち、フラップ付きの封筒では、フラップの先端縁に区画線２Ｌを合致させて当該フラップと封筒の裏面とにシート連結具１を貼り付けたり、フラップのない封筒では、封筒の開口縁に区画線２Ｌを合致させてシート連結具１を封筒の前面と裏面とに貼り付けることで、糊等の接着剤を用いなくても封筒を簡単に封緘することが可能である。この場合、シート連結具１は、区画線２Ｌにミシン目等を形成して２つの領域２Ａ，２Ｂを切り離し易い構成とすれば、封筒の開封も簡単に行うことができる。その他にも、本発明のシート連結具１、及びシート連結具セット１０の使用方法は、本発明の趣旨を逸脱しない範囲で種々変更することができる。
【図面の簡単な説明】
【００３８】
【図１】本発明のシート連結具の一実施形態を示す図。
【図２】同シート連結具の変形例を示す図。
【図３】同シート連結具の他の変形例を示す図。
【図４】本発明のシート連結具セットを示す斜視図。
【図５】本発明の一実施形態に係るシート連結具の一使用例を示す図。
【図６】同シート連結具の他の使用例を示す図。
【図７】同シート連結具のさらに他の使用例を示す図。
【図８】本発明の一実施形態に係るシート連結具セットの一使用例を示す図。
【図９】本発明の一実施形態に係るシート連結具のその他の使用例を示す図。
【図１０】本発明の一実施形態に係るシート連結具のその他の使用例を示す図。
【符号の説明】
【００３９】
１，１’…シート連結具
２…シート体
２Ａ，２Ｂ，２Ａ’，２Ｂ’…領域
２Ｌ…区画線
２Ｓ…粘着面
２Ｋａ，２Ｋｂ…切り込み線
３…剥離シート
１０…シート連結具セット
Ｐ１，Ｐ２，Ｐ３，Ｐ４，Ｐ５…シート状部材
Ｂ…紙袋
Ｍ…雑誌
Ｎ…ノート
Ｒ…固定物
【図１】
2008239823.tif 000003
【図２】
2008239823.tif 000004
【図３】
2008239823.tif 000005
【図４】
2008239823.tif 000006
【図５】
2008239823.tif 000007
【図６】
2008239823.tif 000008
【図７】
2008239823.tif 000009
【図８】
2008239823.tif 000010
【図９】
2008239823.tif 000011
【図１０】
2008239823.tif 000012